(57)【特許請求の範囲】
【請求項１】
異なる色の光を合成して所望の色度の光を得る照明装置であって、
異なる色の光をそれぞれ発する第１〜第Ｎ（Ｎは２以上の自然数である）の発光素子と、
前記第１〜第Ｎの発光素子の各々について、１周期における発光時間を制御する発光時間制御部と、
前記発光時間制御部により制御された発光時間を維持しながら、前記第１〜第Ｎの発光素子の各々の発光及び非発光を周期的に制御するオン／オフ制御部と、
前記第１〜第Ｎの発光素子が発する光の発光量を一緒に計測する受光素子と、
所望の色度を得るための各色の混色比率データを格納する混色比率記憶部と、を備え、
前記発光時間制御部は、前記第１〜第Ｎの発光素子による合成光の色度が前記所望の色度になるように、前記混色比率記憶部に記憶された混色比率データ及び前記受光素子により測定された発光量に基づいて、前記発光時間を制御し、
前記オン／オフ制御部は、第ｋ（ｋは１〜Ｎの任意の自然数）の発光素子の発光時間の開始タイミングを、他の発光素子の発光時間の開始タイミングよりも早めることにより、当該第ｋの発光素子が単独で発光しているタイミングを形成し、
前記オン／オフ制御部は、前記第１〜第Ｎの発光素子の周期を任意に設定し、各周期の最小公倍数を制御周期とし、前記第１〜第Ｎの発光素子の当該制御周期及びその位相を互いに等しく設定する
ことを特徴とする照明装置。
【請求項２】
制御周期毎に、発光時間の開始タイミングを早める第ｋの発光素子を変更することを特徴とする請求項１に記載の照明装置。
【請求項３】
異なる色の光をそれぞれ発する第１〜第Ｎ（Ｎは２以上の自然数である）の発光素子の各々の発光量を計測する第１の段階と、
前記異なる色の光を合成して所望の色度を得るための各色の混色比率及び測定された発光量に基づいて、前記第１〜第Ｎの発光素子の１周期における発光時間を演算する第２の段階と、
演算された発光時間を維持しながら、第１〜第Ｎの発光素子の各々の発光及び非発光を周期的に制御する第３の段階とを備える照明装置の調光方法であって、
第３の段階において、第ｋ（ｋは１〜Ｎの任意の自然数）の発光素子の発光時間の開始タイミングを、他の発光素子の発光時間の開始タイミングよりも早めることにより、当該第ｋの発光素子が単独で発光しているタイミングを形成し、
第３の段階において、前記第１〜第Ｎの発光素子の周期を任意に設定し、各周期の最小公倍数を制御周期とし、前記第１〜第Ｎの発光素子の当該制御周期及びその位相を互いに等しく設定することを特徴とする照明装置の調光方法。
【発明の詳細な説明】
【技術分野】
【０００１】
本発明は、異なる色の光を合成して所望の色度の光を得る照明装置及びその調光方法に関するものである。
【背景技術】
【０００２】
従来から、液晶ディスプレイ用バックライト装置などの照明装置には、光源として発光ダイオード（ＬＥＤ）が用いられている。この照明装置は、一般に、赤色（Ｒ）、緑色（Ｇ）、青色（Ｂ）等の色をそれぞれ発光する複数のＬＥＤを備え、これらのＬＥＤを発光させて各色の光を合成し、各ＬＥＤの光出力を調整することにより、任意の色度の合成光を実現している。そして、照明装置は、各色のＬＥＤが発する光を一緒に計測可能な光検出素子を備え、この光検出素子が計測した発光量を各ＬＥＤの光出力へフィードバックすることにより、合成光の色度を調整する。
【０００３】
上記したフィードバック制御方法の１例として、光検出素子による計測値を、各色のＬＥＤに流す電流の大きさへフィードバックする方法がある。しかし、この方法では、ＬＥＤ電流の調節を高精度に行う必要があるため、ＬＥＤ電流制御回路が複雑になり、照明装置の低コスト化が難しくなってしまう。
【０００４】
これに対して、ＬＥＤ電流は既定電流とし、各ＬＥＤの発光／非発光を周期的に制御し、１周期に占める各ＬＥＤの発光時間の割合（オンデューティ比）を調整するパルス幅変調（ＰＷＭ）によって光出力を制御する方法がある（例えば、特許文献１参照）。
【０００５】
特許文献１では、各ＬＥＤのオンデューティ比を維持しつつ、一部のＬＥＤの発光時間の開始タイミングをシフトさせ、各ＬＥＤの発光時間が互いに重複する各時点及び重複しない各時点においてＬＥＤの発光量を測定し、当該各時点における発光量の測定値の差分から各ＬＥＤの発光量を算出している。
【先行技術文献】
【特許文献】
【０００６】
【特許文献１】特開２００８−２１０８５３号公報
【発明の概要】
【発明が解決しようとする課題】
【０００７】
しかし、特許文献１では、発光時間の開始タイミングのシフト方法について規則性が見られない。また、各ＬＥＤのデューティ比が変化すれば、各ＬＥＤの発光時間が重複していないタイミングもずれてきてしまう。
【０００８】
したがって、１色のＬＥＤのみが単独で発光している状態を、各ＬＥＤのデューティ比に依らず、１周期内の決まったタイミングで出現させることが困難となる。よって、単独発光時の発光量を測定するタイミングを取るための制御回路が複雑になり、低コスト化の妨げとなってしまう。
【０００９】
更に、発光時間の開始タイミングをシフトさせるＬＥＤと、シフトさせたことによって単独発光状態が形成されるＬＥＤとが必ずしも一致せず、両ＬＥＤの間に何ら規則性が見られない。
【００１０】
本発明は、上記問題点に鑑みて成されたものであり、その目的は、発光時間の開始タイミングをシフトさせる発光素子と、シフトさせたことによって単独発光状態が形成される発光素子とを一致させて、単独発光のタイミングを容易に形成する照明装置及びその調光方法を提供することである。
【課題を解決するための手段】
【００１１】
本発明の第１の特徴は、異なる色の光を合成して所望の色度の光を得る照明装置である。この照明装置は、異なる色の光をそれぞれ発する第１〜第Ｎの発光素子と、第１〜第Ｎの発光素子の各々について、１周期における発光時間を制御する発光時間制御部と、発光時間制御部により制御された発光時間を維持しながら、第１〜第Ｎの発光素子の各々の発光及び非発光を周期的に制御するオン／オフ制御部と、第１〜第Ｎの発光素子が発する光の発光量を一緒に計測する受光素子と、所望の色度を得るための各色の混色比率データを格納する混色比率記憶部とを備える。発光時間制御部は、第１〜第Ｎの発光素子による合成光の色度が所望の色度になるように、混色比率記憶部に記憶された混色比率データ及び受光素子により測定された発光量に基づいて発光時間を制御する。オン／オフ制御部は、第ｋの発光素子の発光時間の開始タイミングを、他の発光素子の発光時間の開始タイミングよりも早めることにより、当該第ｋの発光素子が単独で発光しているタイミングを形成し、オン／オフ制御部は、第１〜第Ｎの発光素子の周期を任意に設定し、各周期の最小公倍数を制御周期とし、第１〜第Ｎの発光素子の当該制御周期及びその位相を互いに等しく設定する。
【００１２】
本発明の第１の特徴において、Ｎは２以上の自然数を示し、ｋは１〜Ｎ−１の任意の自然数を示す。
【００１３】
本発明の第１の特徴によれば、第ｋの発光素子の発光時間の開始タイミングを、他の発光素子の発光時間の開始タイミングよりも早めることにより、当該第ｋの発光素子が単独で発光しているタイミングを形成する。よって、発光時間の開始タイミングをシフトさせる発光素子と、シフトさせたことによって単独発光状態が形成される発光素子とが一致して、単独発光のタイミングを容易に形成することができる。また、本発明の第１の特徴によれば、第１〜第Ｎの発光素子の周期が一致しない場合であっても、これらの周期の最小公倍数を制御周期として、当該制御周期及びその位相を等しくすることにより、第ｋの発光素子の発光時間の開始タイミングを、他の発光素子の発光時間の開始タイミングよりも早めて、当該第ｋの発光素子が単独で発光しているタイミングを容易に形成することができる。
【００１４】
本願の別の第１発明は、異なる色の光を合成して所望の色度の光を得る照明装置である。この照明装置は、異なる色の光をそれぞれ発する第１〜第Ｎの発光素子と、第１〜第Ｎの発光素子の各々について、１周期における発光時間を制御する発光時間制御部と、発光時間制御部により制御された発光時間を維持しながら、第１〜第Ｎの発光素子の各々の発光及び非発光を周期的に制御するオン／オフ制御部と、第１〜第Ｎの発光素子が発する光の発光量を一緒に計測する受光素子と、所望の色度を得るための各色の混色比率データを格納する混色比率記憶部とを備える。発光時間制御部は、第１〜第Ｎの発光素子による合成光の色度が所望の色度になるように、混色比率記憶部に記憶された混色比率データ及び受光素子により測定された発光量に基づいて発光時間を制御する。オン／オフ制御部は、第ｋの発光素子の発光時間の開始タイミングを、他の発光素子の発光時間の開始タイミングよりも早めることにより、当該第ｋの発光素子が単独で発光しているタイミングを形成し、オン／オフ制御部は、第１〜第Ｎの発光素子の周期及びその位相は互いに等しく設定し、第ｋの発光素子を、１周期内において、先ず発光状態に制御した後、非発光状態へ制御し、他の発光素子を、１周期内において、先ず非発光状態に制御した後、発光状態へ制御することによって、第ｋの発光素子の発光時間の開始タイミングを、他の発光素子の発光時間の開始タイミングよりも早めてもよい。これにより、単独発光のタイミングを容易に形成することができる。
本願の別の第１発明において、Ｎは２以上の自然数を示し、ｋは１〜Ｎ−１の任意の自然数を示す。
【００１５】
本願の別の第２発明は、異なる色の光を合成して所望の色度の光を得る照明装置である。この照明装置は、異なる色の光をそれぞれ発する第１〜第Ｎの発光素子と、第１〜第Ｎの発光素子の各々について、１周期における発光時間を制御する発光時間制御部と、発光時間制御部により制御された発光時間を維持しながら、第１〜第Ｎの発光素子の各々の発光及び非発光を周期的に制御するオン／オフ制御部と、第１〜第Ｎの発光素子が発する光の発光量を一緒に計測する受光素子と、所望の色度を得るための各色の混色比率データを格納する混色比率記憶部とを備える。発光時間制御部は、第１〜第Ｎの発光素子による合成光の色度が所望の色度になるように、混色比率記憶部に記憶された混色比率データ及び受光素子により測定された発光量に基づいて発光時間を制御する。オン／オフ制御部は、第ｋの発光素子の発光時間の開始タイミングを、他の発光素子の発光時間の開始タイミングよりも早めることにより、当該第ｋの発光素子が単独で発光しているタイミングを形成し、第１〜第Ｎの発光素子の各々は、１周期内において複数回の発光及び非発光を繰返し、発光時間制御部は、１周期内の発光回数によって発光時間を制御してもよい。この場合であっても、第ｋの発光素子の発光時間の開始タイミングを、他の発光素子の発光時間の開始タイミングよりも早めることにより、当該第ｋの発光素子が単独で発光しているタイミングを容易に形成することができる。
本願の別の第２発明において、Ｎは２以上の自然数を示し、ｋは１〜Ｎ−１の任意の自然数を示す。
【００１７】
本願の別の第３発明は、異なる色の光を合成して所望の色度の光を得る照明装置である。この照明装置は、異なる色の光をそれぞれ発する第１〜第Ｎの発光素子と、第１〜第Ｎの発光素子の各々について、１周期における発光時間を制御する発光時間制御部と、発光時間制御部により制御された発光時間を維持しながら、第１〜第Ｎの発光素子の各々の発光及び非発光を周期的に制御するオン／オフ制御部と、第１〜第Ｎの発光素子が発する光の発光量を一緒に計測する受光素子と、所望の色度を得るための各色の混色比率データを格納する混色比率記憶部とを備える。発光時間制御部は、第１〜第Ｎの発光素子による合成光の色度が所望の色度になるように、混色比率記憶部に記憶された混色比率データ及び受光素子により測定された発光量に基づいて発光時間を制御する。オン／オフ制御部は、第ｋの発光素子の発光時間の開始タイミングを、他の発光素子の発光時間の開始タイミングよりも早めることにより、当該第ｋの発光素子が単独で発光しているタイミングを形成し、第１〜第Ｎの発光素子の周期毎に、発光時間の開始タイミングを早める第ｋの発光素子を変更してもよい。つまり、周期毎に、ｋを１〜Ｎの間で変更することにより、第１〜第Ｎの発光素子の総ての単独発光タイミングを容易に形成することができる。
本願の別の第３発明において、Ｎは２以上の自然数を示し、ｋは１〜Ｎ−１の任意の自然数を示す。
本発明の第１の特徴において、第１〜第Ｎの発光素子の制御周期毎に、発光時間の開始タイミングを早める第ｋの発光素子を変更してもよい。つまり、制御周期毎に、ｋを１〜Ｎの間で変更することにより、第１〜第Ｎの発光素子の総ての単独発光タイミングを容易に形成することができる。
【００１８】
本発明の第２の特徴は、異なる色の光を合成して所望の色度の光を得る照明装置の調光方法である。この調光方法は、異なる色の光をそれぞれ発する第１〜第Ｎの発光素子の各々の発光量を計測する第１の段階と、異なる色の光を合成して所望の色度を得るための各色の混色比率及び測定された発光量に基づいて、第１〜第Ｎの発光素子の１周期における発光時間を演算する第２の段階と、演算された発光時間を維持しながら、第１〜第Ｎの発光素子の各々の発光及び非発光を周期的に制御する第３の段階とを備える。第３の段階において、第ｋの発光素子の発光時間の開始タイミングを、他の発光素子の発光時間の開始タイミングよりも早めることにより、当該第ｋの発光素子が単独で発光しているタイミングを形成し、第３の段階において、第１〜第Ｎの発光素子の周期を任意に設定し、各周期の最小公倍数を制御周期とし、第１〜第Ｎの発光素子の当該制御周期及びその位相を互いに等しく設定する。
【発明の効果】
【００１９】
本発明の照明装置及びその調光方法によれば、発光時間の開始タイミングをシフトさせる発光素子と、シフトさせたことによって単独発光状態が形成される発光素子とが一致して、単独発光のタイミングを容易に形成することができる。
【図面の簡単な説明】
【００２０】
【図１】本発明の実施の形態に係わる照明装置の構成を示すブロック図である。
【図２】第１の実施例に係わる各ＬＥＤ１〜ＬＥＤ３の発光／非発光の制御方法を示すタイムチャートであって、図２（ａ）は各ＬＥＤ１〜ＬＥＤ３のオンデューティ比が最大値を取る時を示し、図２（ｂ）は各ＬＥＤ１〜ＬＥＤ３のオンデューティ比が最小値を取る時を示す。
【図３】第２の実施例に係わる各ＬＥＤ１〜ＬＥＤ３の発光／非発光の制御方法を示すタイムチャートである。
【図４】第３の実施例に係わる各ＬＥＤ１〜ＬＥＤ３の発光／非発光の制御方法を示すタイムチャートである。
【図５】図１の照明装置の調光方法の概略を示すフローチャートである。
【図６】ＲＧＢ３色によって混色を行う場合におけるＲＧＢ各々の混合比率の一例を示す表である。
【発明を実施するための形態】
【００２１】
以下図面を参照して、本発明の実施の形態を説明する。図面の記載において同一部分には同一符号を付している。
【００２２】
図１を参照して、本発明の実施の形態に係わる照明装置の構成を説明する。本発明の実施の形態に係わる照明装置は、異なる色の光をそれぞれ発する第１〜第Ｎの発光素子の一例として、赤色（Ｒ：Red）、緑色（Ｇ：Green）、及び青色（Ｂ：Blue）をそれぞれ発光する第１の発光ダイオード（以後、「ＬＥＤ」という）１１ａ、第２のＬＥＤ１１ｂ、及び第３のＬＥＤ１１ｃを備える。照明装置は、第１〜第３のＬＥＤ１１ａ〜１１ｃを発光させて各色の光を合成し、第１〜第３のＬＥＤ１１ａ〜１１ｃの光出力を調整することにより、所望の色度の合成光を実現する。
【００２３】
照明装置は、第１〜第３のＬＥＤ１１ａ〜１１ｃから成る発光部１１と、第１〜第３のＬＥＤ１１ａ〜１１ｃの各々について、１周期における発光時間を制御する発光時間制御部１２と、発光時間制御部１２により制御された発光時間を維持しながら、第１〜第３のＬＥＤ１１ａ〜１１ｃの各々の発光及び非発光を周期的に制御するＬＥＤ管理部１３（オン／オフ制御部）と、発光部１１が発する光の発光量を一緒に計測する受光素子１４と、受光素子１４が計測した発光量のデータを保持する発光量保持部２１と、所望の色度を得るためのＲＧＢ各色の混色比率データを格納する混色比率記憶部１５と、ＬＥＤ管理部１３による制御の下で第１〜第３のＬＥＤ１１ａ〜１１ｃの各々を駆動するＬＥＤ駆動回路２４とを備える。
【００２４】
第１〜第３のＬＥＤ１１ａ〜１１ｃの各々が発する光は、総て１つの受光素子１４によって受光される。よって、第１〜第３のＬＥＤ１１ａ〜１１ｃの各々が単独で発光しているタイミングにおいて受光素子１４が測定した発光量は、第１〜第３のＬＥＤ１１ａ〜１１ｃの各々の発光量となり、第１〜第３のＬＥＤ１１ａ〜１１ｃのいずれか２以上のＬＥＤが発光しているタイミングにおいて受光素子１４が測定した発光量は、２以上のＬＥＤが発する光を合成した合成光の発光量となる。
【００２５】
発光量保持部２１は、受光素子１４から発光量として出力されるアナログ信号をデジタル信号（データ）へ変換するＡＤコンバータ３１と、変換された発光量のデータを一時的に記憶する発光量保持バッファ（Ｒ）３２ａ、発光量保持バッファ（Ｇ）３２ｂ、及び発光量保持バッファ（Ｂ）３２ｃとを備える。発光量保持バッファ３２ａ〜３２ｃは、第１〜第３のＬＥＤ１１ａ〜１１ｃの発光量をそれぞれ保持する。具体的に、発光量保持バッファ３２ａ〜３２ｃは、第１〜第３のＬＥＤ１１ａ〜１１ｃの各々が他を排して単独で発光しているタイミングにおいて受光素子１４が測定した発光量を保持する。ＬＥＤ管理部１３は、いずれか１つの発光量保持バッファ３２ａ〜３２ｃを選択して、ＡＤコンバータ３１により変換された発光量のデータを書き込む。
【００２６】
混色比率記憶部１５には、第１〜第３のＬＥＤ１１ａ〜１１ｃによる合成光の色度が所望の色度になるためのＲＧＢ各色の混色比率のデータを記憶している。各ＬＥＤ１１ａ〜１１ｃの光出力の比率をＲＧＢ各色の混色比率に基づいて調整することにより、第１〜第３のＬＥＤ１１ａ〜１１ｃによる合成光の色度を所望の色度に調光することができる。ＲＧＢ３色による混色の場合、例えば、図６に示すように、ＲＧＢ各々の混合比率が、合成光の色種別（１、２、３、・・・）ごとにまとめられている。
【００２７】
発光時間制御部１２は、第１〜第３のＬＥＤ１１ａ〜１１ｃによる合成光の色度が所望の色度になるように、混色比率記憶部１５に記憶された混色比率データ及び受光素子１４により測定された発光量に基づいて、第１〜第３のＬＥＤ１１ａ〜１１ｃの発光時間を算出する発光時間演算部４１と、算出された第１〜第３のＬＥＤ１１ａ〜１１ｃの発光時間を保持する発光時間保持部２２と、保持されている発光時間に基づいて第１〜第３のＬＥＤ１１ａ〜１１ｃの発光時間を管理する発光時間管理部２３とを備える。
【００２８】
発光時間演算部４１は、第１〜第３のＬＥＤ１１ａ〜１１ｃの光出力の比率が、混色比率記憶部１５に記憶されている所望の色度の混色比率になるように、発光量保持バッファ３２ａ〜３２ｃに記憶されている発光量に基づいて、第１〜第３のＬＥＤ１１ａ〜１１ｃの発光時間を算出する。発光量または発光時間が増加すれば光出力も増加するため、記憶されている発光量が少ない場合には発光時間を長くし、記憶されている発光量が多い場合には発光時間を短くすることで、第１〜第３のＬＥＤ１１ａ〜１１ｃの光出力の比率を調整することができる。
【００２９】
発光時間保持部２２は、第１のＬＥＤ１１ａの発光時間を保持する発光時間保持バッファ（Ｒ）４２ａと、第２のＬＥＤ１１ｂの発光時間を保持する発光時間保持バッファ（Ｇ）４２ｂと、第３のＬＥＤ１１ｃの発光時間を保持する発光時間保持バッファ（Ｂ）４２ｃとを備える。ＬＥＤ管理部１３は、いずれか１つの発光時間保持バッファ４２ａ〜４２ｃを選択して、発光時間演算部４１により算出された発光時間のデータを書き込む。
【００３０】
発光時間管理部２３は、発光時間保持バッファ４２ａ〜４２ｃが保持する発光時間が基準値として入力される基準値入力部４５と、時間を計数するカウンタ４６と、基準値入力部４５に入力された発光時間とカウンタ４６が計数する時間とを比較する比較器４７とを備える。カウンタ４６が計数する時間が基準値入力部４５に入力された発光時間に達した場合、発光時間管理部２３は、ＬＥＤ管理部１３及びＬＥＤ駆動回路２４に対して、カウンタ４６が計数する時間を出力する。
【００３１】
ＬＥＤ駆動回路２４は、発光時間管理部２３から出力された時間に基づいて、ＬＥＤ管理部１３による制御の下で第１〜第３のＬＥＤ１１ａ〜１１ｃの各々を駆動する。
【００３２】
ＬＥＤ管理部１３は、各ＬＥＤ１１ａ〜１１ｃに流す電流を既定電流とし、各ＬＥＤ１１ａ〜１１ｃの発光／非発光を周期的に制御し、１周期に占める各ＬＥＤ１１ａ〜１１ｃの発光時間の割合（オンデューティ比）を調整するパルス幅変調（ＰＷＭ）によって各ＬＥＤ１１ａ〜１１ｃの光出力を調整する。
【００３３】
このようにして、図１に示す照明装置は、受光素子１４が計測する各ＬＥＤ１１ａ〜１１ｃの発光量を、各ＬＥＤ１１ａ〜１１ｃのオンデューティ比へフィードバックすることにより、所望の色度の合成光を得る。
【００３４】
次に、図５を参照して、図１の照明装置の調光方法の概略を説明する。
【００３５】
（イ）Ｓ０１段階で、受光素子１４の計測タイミングであるか否かを判断する。具体的には、第１〜第３のＬＥＤ１１ａ〜１１ｃが他を排して単独で発光する状態であるか否かを判断する。後述するように、当該状態は、１周期内において決まったタイミングで出現させることができる。
【００３６】
（ロ）当該計測タイミングが到来した場合（Ｓ０１でＹＥＳ）、Ｓ０３段階に進み、受光素子１４は、他を排して単独で発光する第１〜第３のＬＥＤ１１ａ〜１１ｃのいずれかの発光量を測定し（第１の段階）、ＡＤ変換された発光量のデータを発光量保持バッファ３２ａ〜３２ｃのいずれかに記憶する。同様にして、第１〜第３のＬＥＤ１１ａ〜１１ｃの各々について発光量を測定してそのデータを記憶する。
【００３７】
（ハ）Ｓ０５段階に進み、発光時間演算部４１は、発光量のデータ及び混色比率のデータに基づいて第１〜第３のＬＥＤ１１ａ〜１１ｃの各々の１周期における発光時間を演算する（第２の段階）。
【００３８】
（ニ）Ｓ０７段階に進み、発光時間管理部２３は、従前の発光時間をＳ０５段階で演算された発光時間へ更新し、Ｓ０９段階に進み、ＬＥＤ管理部１３は、更新された発光時間を維持しながら、各ＬＥＤ１１ａ〜１１ｃの発光／非発光を周期的に制御する（第３の段階）。
（第１の実施例）
【００３９】
次に、図２〜図４を参照して、図５のＳ０９段階における各ＬＥＤ１１ａ〜１１ｃの発光／非発光の制御方法の実施例を説明する。ここで述べる制御方法を適用することにより、第１〜第３のＬＥＤ１１ａ〜１１ｃの発光時間の長さに依らず、発光時間の開始タイミングをシフトさせるＬＥＤと、シフトさせたことによって単独発光状態が形成されるＬＥＤとを一致させて、単独発光のタイミングを容易に形成することができる。なお、図２〜図４では、第１〜第３のＬＥＤ１１ａ〜１１ｃを、ＬＥＤ１、ＬＥＤ２、及びＬＥＤ３へ任意に置換えて説明する。
【００４０】
図２（ａ）及び図２（ｂ）は、第１の実施例に係わる各ＬＥＤ１〜ＬＥＤ３の発光／非発光の制御方法を示すタイムチャートである。点状の模様を付した部分が発光時間を示し、模様を付さない白抜きの部分が非発光時間を示す。図２（ａ）は各ＬＥＤ１〜ＬＥＤ３のオンデューティ比が最大値（９５％）を取る時を示し、図２（ｂ）は各ＬＥＤ１〜ＬＥＤ３のオンデューティ比が最小値（５％）を取る時を示す。
【００４１】
ＬＥＤ管理部１３は、ＬＥＤ１〜ＬＥＤ３の周期及びその位相を互いに等しく設定し、ＬＥＤ１〜ＬＥＤ３のいずれか１つのＬＥＤを、１周期内において、先ず発光状態に制御した後、非発光状態へ制御し、他のＬＥＤを、１周期内において、先ず非発光状態に制御した後、発光状態へ制御する。これにより、当該１つのＬＥＤの発光時間の開始タイミングを、他の発光素子の発光時間の開始タイミングよりも早める。したがって、発光時間の開始タイミングをシフトさせるＬＥＤと、シフトさせたことによって単独発光状態が形成されるＬＥＤとが一致して、単独発光のタイミングを容易に形成することができる。
【００４２】
ＬＥＤ１〜ＬＥＤ３の周期（Ｔ１、Ｔ２、Ｔ３）ごとに、１周期内において、先ず発光状態に制御した後、非発光状態へ制御する当該１つのＬＥＤを変更する。最初の周期（Ｔ１）では、ＬＥＤ１だけを先ず発光状態に制御した後、非発光状態へ制御し、次の周期（Ｔ２）では、ＬＥＤ２だけを先ず発光状態に制御した後、非発光状態へ制御し、その次の周期（Ｔ３）では、ＬＥＤ３だけを先ず発光状態に制御した後、非発光状態へ制御する。これにより、ＬＥＤ１〜ＬＥＤ３の総ての単独発光タイミングを容易に形成することができる。
【００４３】
最初の周期（Ｔ１）の開始タイミングＧ１において、ＬＥＤ１の単独発光状態が形成され、次の周期（Ｔ２）の開始タイミングＧ２において、ＬＥＤ２の単独発光状態が形成され、その次の周期（Ｔ３）の開始タイミングＧ３において、ＬＥＤ３の単独発光状態が形成される。
【００４４】
また、ＬＥＤ１〜ＬＥＤ３の各々が単独で発光する状態は、ＬＥＤ１〜ＬＥＤ３のオンデューティ比が最大値を取る時であっても或いは最小値を取る時であっても、同じタイミングＧ１、Ｇ２、Ｇ３で現れる。そして、ＬＥＤ１〜ＬＥＤ３のオンデューティ比の各々が最大値と最小値の間で変化してもタイミングＧ１、Ｇ２、Ｇ３は変化しない。
【００４５】
したがって、ＬＥＤ１〜ＬＥＤ３の各々が他を排して単独で発光する状態を、ＬＥＤ１〜ＬＥＤ３のオンデューティ比に依らず、決まったタイミングＧ１、Ｇ２、Ｇ３で出現させることができる。これにより、図５のＳ０１段階における測定タイミングを判断するための制御回路が簡素化され、照明装置の低コスト化に寄与する。
【００４６】
第１の実施例では、オンデューティ比の最大値を９５％に設定し、オンデューティ比の最小値を５％に設定した場合を示したが、第１の実施例において、オンデューティ比の最大値は略１００％に設定してもよいし、オンデューティ比の最小値を略０％に設定してもよい。
（第２の実施例）
【００４７】
第２の実施例において、図１のＬＥＤ管理部１３は、各ＬＥＤ１〜ＬＥＤ３について、１周期内において複数回の発光及び非発光を繰返す。発光時間制御部２２は、１周期内の発光回数によって発光時間（オンデューティ比）を制御する。
【００４８】
カウンタ４６は、時間を計数する代りに発光回数を計数する。この場合、比較器４７は、基準値入力部４５に入力された発光時間とカウンタ４６が計数する発光回数に所定の単位時間を掛け算した乗算時間とを比較する。乗算時間が発光時間に達した場合、発光時間管理部２３は、ＬＥＤ管理部１３及びＬＥＤ駆動回路２４に対して、カウンタ４６が計数する発光回数を出力する。
【００４９】
図３は、第２の実施例に係わる各ＬＥＤ１〜ＬＥＤ３の発光／非発光の制御方法を示すタイムチャートである。点状の模様を付した部分が発光時間を示し、模様を付さない白抜きの部分が非発光時間を示す。
【００５０】
ＬＥＤ管理部１３は、ＬＥＤ１〜ＬＥＤ３の周期（Ｔ１、Ｔ２、Ｔ３、・・・）及びその位相を互いに等しく設定し、１周期（Ｔ１、Ｔ２、Ｔ３）内で繰り返されるＬＥＤ１〜ＬＥＤ３の各々の発光時間及び非発光時間の長さを等しく設定する。更に、ＬＥＤ管理部１３は、ＬＥＤ１〜ＬＥＤ３のいずれか１つのＬＥＤを、１周期内において、先ず発光状態に制御した後、非発光状態へ制御し、他のＬＥＤを、１周期内において、先ず非発光状態に制御した後、発光状態へ制御する。これによって、当該１つのＬＥＤの発光時間の開始タイミングを、他のＬＥＤの発光時間の開始タイミングよりも早める。したがって、発光時間の開始タイミングをシフトさせるＬＥＤと、シフトさせたことによって単独発光状態が形成されるＬＥＤとが一致して、単独発光のタイミングを容易に形成することができる。
【００５１】
ＬＥＤ１〜ＬＥＤ３の周期（Ｔ１、Ｔ２、Ｔ３）ごとに、１周期内において、先ず発光状態に制御した後、非発光状態へ制御する当該１つのＬＥＤを変更する。最初の周期（Ｔ１）では、ＬＥＤ１だけを先ず発光状態に制御した後、非発光状態へ制御し、次の周期（Ｔ２）では、ＬＥＤ２だけを先ず発光状態に制御した後、非発光状態へ制御し、その次の周期（Ｔ３）では、ＬＥＤ３だけを先ず発光状態に制御した後、非発光状態へ制御する。これにより、ＬＥＤ１〜ＬＥＤ３の総ての単独発光タイミングを容易に形成することができる。
【００５２】
最初の周期（Ｔ１）の開始タイミングＧ１において、ＬＥＤ１の単独発光状態が形成され、次の周期（Ｔ２）の開始タイミングＧ２において、ＬＥＤ２の単独発光状態が形成され、その次の周期（Ｔ３）の開始タイミングＧ３において、ＬＥＤ３の単独発光状態が形成される。また、各ＬＥＤ１〜ＬＥＤ３のオンデューティ比、すなわち１周期内の発光回数が変化しても、単独発光状態が形成されるタイミングＧ１、Ｇ２、Ｇ３は変化しない。
【００５３】
したがって、ＬＥＤ１〜ＬＥＤ３の各々が他を排して単独で発光する状態を、ＬＥＤ１〜ＬＥＤ３のオンデューティ比に依らず、決まったタイミングＧ１、Ｇ２、Ｇ３で出現させることができる。これにより、図５のＳ０１段階における測定タイミングを判断するための制御回路が簡素化され、照明装置の低コスト化に寄与する。
（第３の実施例）
【００５４】
図４は、第３の実施例に係わる各ＬＥＤ１〜ＬＥＤ３の発光／非発光の制御方法を示すタイムチャートである。点状の模様を付した部分が発光時間を示し、模様を付さない白抜きの部分が非発光時間を示す。
【００５５】
第３の実施例において、ＬＥＤ管理部１３は、各ＬＥＤ１〜ＬＥＤ３の周期を任意に設定し、各周期の最小公倍数を制御周期（ＣＴ１、ＣＴ２）とし、ＬＥＤ１〜ＬＥＤ３の制御周期及びその位相を互いに等しく設定する。
【００５６】
制御周期（ＣＴ１、ＣＴ２）の開始タイミング（Ｇ１、Ｇ２）において、ＬＥＤ１〜ＬＥＤ３のいずれか１つのＬＥＤの発光時間の開始を、他のＬＥＤの発光時間の開始よりも測定時間Δｔ分だけ早める。
【００５７】
これにより、ＬＥＤ１〜ＬＥＤ３の周期が一致しない場合であっても、これらの周期の最小公倍数を制御周期（ＣＴ１、ＣＴ２）として、制御周期及びその位相を等しくすることにより、ＬＥＤ１〜ＬＥＤ３のいずれか１つのＬＥＤが単独で発光しているタイミングを容易に形成することができる。
【００５８】
ＬＥＤ１〜ＬＥＤ３の制御周期（ＣＴ１、ＣＴ２）ごとに、発光時間の開始を早める当該１つのＬＥＤを変更する。最初の制御周期（ＣＴ１）では、ＬＥＤ１の発光時間の開始を早め、次の制御周期（ＣＴ２）では、ＬＥＤ２の発光時間の開始を早め、その次の制御周期では、ＬＥＤ３の発光時間の開始を早める。これにより、ＬＥＤ１〜ＬＥＤ３の総ての単独発光タイミングを容易に形成することができる。
（その他の実施の形態）
【００５９】
上記のように、本発明は、１つの実施の形態及び３つの実施例によって記載したが、この開示の一部をなす論述及び図面はこの発明を限定するものであると理解すべきではない。この開示から当業者には様々な代替実施の形態、実施例及び運用技術が明らかとなろう。
【００６０】
実施の形態では、Ｎ＝３の場合を例に取り説明したが、Ｎは２以上の自然数であればよく、２、４、５以上の自然数であっても構わない。そして、発光量保持部２１が備える発光量保持バッファの数、及び発光時間保持部２２が備える発光時間保持バッファの数は、Ｎに応じて変化させればよい。例えば、照明装置は、赤色（Ｒ：Red）、緑色（Ｇ：Green）、青色（Ｂ：Blue）、及び琥珀色（Ａ：Amber）をそれぞれ発光する第１〜第４のＬＥＤを備え、第１〜第４のＬＥＤを発光させて各色の光を合成し、第１〜第４のＬＥＤの光出力を調整することにより、所望の色度の合成光を実現しても構わない。この場合、発光量保持部２１は４つの発光量保持バッファを備え、発光時間保持部２２は４つの発光時間保持バッファを備えていればよい。琥珀色（Ａ：Amber）の光を発するＬＥＤを更に追加することによって実施の形態に比べて更に微細な色度の調整が可能となる。
【００６１】
また、発光部１１は異なる色の光をそれぞれ発する複数のＬＥＤ１１ａ〜１１ｃを備えるが、第１〜第３のＬＥＤ１１ａ〜１１ｃの各々が備えるＬＥＤチップの個数や発光箇所の数は、単数で有っても複数であっても構わない。
【００６２】
本発明は、液晶ディスプレイ用バックライト装置や、建物の壁面を演出する照明装置など、異なる色の光を合成して所望の色度の光を得る広範な照明装置に対して適用することができる。
【００６３】
このように、本発明はここでは記載していない様々な実施の形態等を包含するということを理解すべきである。したがって、本発明はこの開示から妥当な特許請求の範囲に係る発明特定事項によってのみ限定されるものである。
【符号の説明】
【００６４】
１１    発光部
１１ａ    第１のＬＥＤ（第１の発光素子）
１１ｂ    第２のＬＥＤ（第２の発光素子）
１１ｃ    第３のＬＥＤ（第３の発光素子）
１２    発光時間制御部
１３    ＬＥＤ管理部（オン／オフ制御部）
１４    受光素子
１５    混色比率記憶部
２１    発光量保持部
２２    発光時間保持部
２３    発光時間管理部
２４    ＬＥＤ駆動回路
３１    ＡＤコンバータ
３２ａ〜３２ｃ    発光量保持バッファ
４１    発光時間演算部
４２ａ〜４２ｃ    発光時間保持バッファ
４５    基準値入力部
４６    カウンタ
４７    比較器
【図１】
0005491794.tif 000002
【図２】
0005491794.tif 000003
【図３】
0005491794.tif 000004
【図４】
0005491794.tif 000005
【図５】
0005491794.tif 000006
【図６】
0005491794.tif 000007